(57)【要約】      （修正有）【課題】取付が簡単で、且つ、頁にしっかりと固定することが可能なしおりを提供する。【解決手段】本しおりは、シート状のしおり本体１と、このしおり本体の一辺から突出し、このしおり本体に一体的に連結されるシート状の操作部２とを備え、しおり本体と操作部との連結部分Ｘは、しおり本体の一辺の長さよりも短く、操作部側からしおり本体側へ凸の線状の切り込み部３が形成され、この切り込み部の両端が操作部に配置されており、切り込み部によって、しおり本体を構成する平面から揺動可能な舌片４が形成される。【選択図】図２
0003171187.tif 000002
【実用新案登録請求の範囲】
【請求項１】
シート状のしおり本体と、
前記しおり本体の一辺から突出し、当該しおり本体に一体的に連結されるシート状の操作部と、を備え、
前記しおり本体と操作部との連結部分は、前記しおり本体の前記一辺の長さよりも短く、
前記操作部側からしおり本体側へ凸の線状の切り込み部が形成され、当該切り込み部の両端が前記操作部に配置されており、
前記切り込み部によって、前記しおり本体を構成する平面から揺動可能な舌片が形成される、しおり。
【請求項２】
シート状のしおり本体と、
前記しおり本体の一辺から突出し、当該しおり本体に一体的に連結されるシート状の操作部と、を備え、
前記しおり本体と操作部との連結部分は、前記しおり本体の前記一辺の長さよりも短く、
前記操作部側からしおり本体側へ凸の線状の切り込み部が形成され、当該切り込み部の両端が、前記連結部分に配置されており、
前記切り込み部によって、前記しおり本体を構成する平面から揺動可能な舌片が形成される、しおり。
【請求項３】
前記切り込み部は、円弧状に形成されている、請求項１または２に記載のしおり。
【請求項４】
前記しおり本体は、所定の色の補色または同色に着色された光透過性に形成されている、請求項１から３のいずれかに記載のしおり。
【請求項５】
前記切り込みの両端は、貫通孔を形成するように打ち抜かれている、請求項１から４のいずれかに記載のしおり。
【考案の詳細な説明】
【技術分野】
【０００１】
本考案は、しおりに関する。
【背景技術】
【０００２】
従来より、書籍のページの間に挟むしおりとしては、種々のものが考案されている。しかしながら、ページの間に単に挟むだけでは、脱落するおそれがあるため、例えば、特許文献１のようなしおりが提案されている。このしおりは、しおりの本体部分からめくれ上がる舌片が設けられており、本体部分と舌片との間に、ページを挟むことで、しおりをページに固定している。
【先行技術文献】
【特許文献】
【０００３】
【特許文献１】特開平８−２３４６６９号公報
【考案の開示】
【考案が解決しようとする課題】
【０００４】
ところで、上記しおりでは、舌片を本体部分からめくるために、舌片を指などで押し出す作業が必要となる。そのため、しおりの取り付け作業が面倒であるという問題があった。
【０００５】
本考案は、上記問題を解決するためになされたものであり、取付が簡単で、且つ、ページにしっかりと固定することが可能なしおりを提供することを目的とする。
【課題を解決するための手段】
【０００６】
本考案に係る第１のしおりは、シート状のしおり本体と、前記しおり本体の一辺から突出し、当該しおり本体に一体的に連結されるシート状の操作部と、を備え、前記しおり本体と操作部との連結部分は、前記しおり本体の前記一辺の長さよりも短く、前記操作部側からしおり本体側へ凸の線状の切り込み部が形成され、当該切り込み部の両端が前記操作部に配置されており、前記切り込み部によって、前記しおり本体を構成する平面から揺動可能な舌片が形成される。
【０００７】
この構成によれば、操作部側からしおり本体側へ凸の線状の切り込み部が形成され、この切り込み部によって、しおり本体を構成する平面から揺動可能な舌片が形成されている。そのため、操作部を掴んで揺動すると、切り込み部によって形成される舌片が、しおり本体を構成する平面から揺動し、舌片としおり本体との間にページを挟むことができる。すなわち、操作部、舌片、及びしおり本体は、一体的に形成されているため、操作部を掴んでしおり本体を構成する平面の一方側へ揺動すると、舌片は操作部と一体となり、平面の他方側へ揺動する。したがって、操作部を掴みつつ、しおり本体をページの間に挿入して位置決めするとともに、操作部を揺動させて舌片としおり本体との間に隙間を形成する、といった一連の操作の中で、しおりを固定することができる。その結果、しおりを書籍等に簡単に固定することができる。
【０００８】
本考案に係る第２のしおりは、シート状のしおり本体と、前記しおり本体の一辺から突出し、当該しおり本体に一体的に連結されるシート状の操作部と、を備え、前記しおり本体と操作部との連結部分は、前記しおり本体の前記一辺の長さよりも短く、前記操作部側からしおり本体側へ凸の線状の切り込み部が形成され、当該切り込み部の両端が、前記連結部分に配置されており、前記切り込み部によって、前記しおり本体を構成する平面から揺動可能な舌片が形成される。
【０００９】
この構成によれば、第１の考案の効果に加え、次の効果を得ることができる。しおり本体と操作部との連結部分は、しおり本体の一辺の長さよりも短くなっているため、操作部を揺動させた場合、最も屈曲する部分は、しおり本体と操作部との連結部分である。そのため、切り込み部の両端が、この連結部分に配置されていると、舌片が大きく揺動し、しおり本体と舌片との隙間を大きくすることができる。その結果、しおり本体と舌片との隙間に頁を挟みやすくなる。
【００１０】
上記切り込みの形状は、シート本体側に凸であれば、特には限定されないが、例えば、円弧状に形成することができる。このようにすると、次の利点がある。例えば、切り込みに角部が設けられていると、この部分が引っかかり、舌片がしおり本体からめくれにくくなるが、円弧状にすると、舌片の引っかかりを防止することができ、操作部を揺動したときに、舌片がスムーズにめくれて、しおり本体との間に隙間を形成しやすくなる。
【００１１】
上記しおりにおいて、しおり本体は、種々の態様にすることができるが、例えば、所定の色の補色または同色に着色された光透過性に形成することができる。このようにすると、しおり本体をページ上に配置したときに、所定の色のみが透過されず、視認できないようにすることができる。これにより、文字などを所定の色で印刷しておくと、しおり本体を配置したときに視認できなくなり、暗記などの学習に用いることができる。
【００１２】
上記切り込みの両端は、貫通孔を形成するように打ち抜くこともできる。これにより、ページの端部を切り込み部の両端部まで挿入すると、舌片が元の状態に戻ったときに、ページの端部が貫通孔に引っかかりやすく、しおりをページの紙面にしっかりと固定することができる。貫通孔は、円形のほか、種々の形状にすることができる。
【考案の効果】
【００１３】
本考案に係るしおりによれば、取付が簡単で、且つ、頁にしっかりと固定することができる。
【図面の簡単な説明】
【００１４】
【図１】本考案に係るしおりの一実施形態の構成を示す平面図である。
【図２】図１のしおりの使用方法を説明する斜視図である。
【図３】図１のしおりの使用方法を説明する断面図である。
【図４】図１のしおりの他の例を示す一部平面図である。
【考案を実施するための形態】
【００１５】
以下、本考案に係るしおりの一実施形態について図面を参照しつつ説明する。図１は本実施形態に係るしおりの平面図である。なお、ここでは、説明の便宜のため、図１の上下方向、左右方向を用いて、しおりの説明を行う。
【００１６】
本実施形態のしおりは、書籍のページの間に挟む本来の使用だけでなく、紙面に記載の特定の色の文字を視認できないようにすることで、暗記などの学習にも使用できるものである。図１に示すように、このしおりは、矩形状のしおり本体１と、このしおり本体１に一体的に取り付けられた半円状の操作部２と、を備えている。しおり本体１は、ページの紙面をほぼ覆うことができるような大きさに形成しておくことが好ましい。操作部２は、しおり本体１の上辺の中央付近に取り付けられており、しおり本体１との連結部分の幅Ｌ１は、上辺の幅Ｌ２よりも短くなっている。また、しおり本体１及び操作部２は、所定の色に着色された光透過性のプラスチックフィルムによって形成されている。これは、上記のような学習用のためであり、例えば、紙面に赤色の文字が記載されている場合、しおり本体１を赤色と同色又は補色に着色しておけば、紙面にしおり本体１を配置したときに、赤色の文字が見えなくなり、暗記などの学習に用いることができる。なお、赤色の同色とは赤色であり、補色は緑色になる。このようなフィルムとしては、例えば、硬質の塩化ビニルシートなどを用いることができる。
【００１７】
しおり本体１と操作部２との連結部分から下方に向かっては、円弧状の切り込み部３が形成されている。切り込み部３の両端部は、円形状に打ち抜かれた貫通孔３１を形成しており、連結部分を構成する直線Ｘ上にある。このような切り込み３によって、しおり本体１には、半円状の舌片部４が形成される。この舌片部４は、基端部が上記連結部分の直線Ｘ上にあり、下向きに延びている。
【００１８】
次に、上記のようなしおりの使用方法について、図２及び図３を参照しつつ、説明する。まず、操作部２を指で掴み、所望のページの間にしおり本体１を配置し、学習を行うべき所定のページをしおり本体１が覆うようにする。このとき、図２に示すように、操作部２をしおり本体１に対して、屈曲させる。すなわち、図３（ａ）に示すように、しおり本体１を構成する平面の一方側（図３では上側）に向けて操作部２を屈曲させる。これにより、操作部２と一体的に連結されている舌片４が連結部分Ｘを軸として平面の他方側（図３では下側）に揺動する。こうして、しおり本体１と舌片４との間に隙間Ｄが形成されるので、図３（ｂ）に示すように、この隙間ＤにページＰの上端部を挿入する。その後、操作部２を屈曲前の元の状態に戻せば、これに伴って舌片４も元の位置に戻る。その結果、図３（ｃ）に示すように、しおり本体１と舌片４とがほぼ同一平面に配置され、ページＰの上端部を挟むことができる。この状態で、しおりは、ページの紙面に固定されているので、書籍からの脱落を防止することができる。また、紙面に記載の特定の色の文字が視認できないため、暗記学習を行うことができる。
【００１９】
以上のように、本実施形態によれば、操作部２側からしおり本体１側へ円弧状の切り込み部３が形成され、この切り込み部３によって、しおり本体１を構成する平面から揺動可能な舌片４が形成されている。そのため、操作部２を掴んで屈曲すると、切り込み部３によって形成される舌片４が、しおり本体１を構成する平面から跳ね上がり、舌片４としおり本体１との間に隙間Ｄを形成することができる。すなわち、操作部２、舌片４、及びしおり本体１は、一体的に形成されているため、操作部２を掴んで屈曲すると、舌片４は操作部２と一体となりながら、切り込み部３からめくれ上がる。したがって、操作部２を掴みつつ、しおり本体１をページＰの間に挿入して位置決めするとともに、操作部２を屈曲させて舌片４としおり本体１との間に隙間Ｄを形成する、といった一連の操作の中で、しおりを固定することができる。その結果、しおりを書籍等に簡単に固定することができる。
【００２０】
特に、しおり本体１と操作部２との連結部分Ｘは、しおり本体１の上辺の長さよりも短くなっているため、操作部２を屈曲させた場合、最も力が作用する部分は、しおり本体１と操作部２との連結部分Ｘである。そのため、切り込み部３の両端が、この連結部分Ｘに配置されていると、屈曲の力を舌片４に作用させやすくなり、舌片４が大きく揺動する。その結果、しおり本体１と舌片４との隙間Ｄを大きくすることができ、しおり本体１と舌片４との隙間Ｄに頁Ｐを挟みやすくなる。さらに、切り欠き部３の両端部を円形の貫通孔３１にしているため、ページＰの端部を切り込み部３の貫通孔３１まで挿入すると、舌片４が元の状態に戻ったときに、円形部分に引っかかりやすく、しおりをページＰにしっかりと固定することができる。なお、この貫通孔３１の形状は、円形以外でもよい。
【００２１】
以上、本考案の一実施形態について説明したが、本考案は上記実施形態に限定されるものではなく、その趣旨を逸脱しない限りにおいて、種々の変更が可能である。例えば、操作部２、切り込み部３、及び舌片４の形状は、特には限定されず、図４に示すように、種々の態様にすることができる。図４（ａ）は、切り込み部４の両端部を操作部２内に配置しており、図４（ｂ）は切り込み部の形状を三角形状にしている。また、図４（ｃ）は操作部２を矩形状に形成している。切り込み部３及び舌片４は、操作部２からしおり本体１側へ凸の形状であれば、特には限定されず、三角形状、台形状、多角形状など、種々の形状にすることができる。また、切り込み部３の両端は、上記のように操作部２内の設けるほか、操作部２の屈曲の力を伝達できるのであれば、連結部分Ｘからしおり本体１側へ設けることもできる。操作部２の形状は、特には限定されず、また、しおり本体１の上辺以外に設けることもできる。但し、操作部２としおり本体１との連結部分の長さは、操作部２が連結される、しおり本体１の一辺よりも短くする必要がある。
【００２２】
しおり本体１の形状は、上記のように矩形状でなくてもよく、円形状、楕円状、菱形状、多角形状など種々形状にすることができる。また、上記のように透明、半透明以外に着色し、学習用ではなく、本来のしおりとしても構成することできる。その場合、プラスチックシート以外の紙で構成することもできる。
【符号の説明】
【００２３】
１  しおり本体
２  操作部
３  切り込み部
３１  貫通孔
４  舌片
Ｘ  連結部分
【図１】
0003171187.tif 000003
【図２】
0003171187.tif 000004
【図３】
0003171187.tif 000005
【図４】
0003171187.tif 000006